(57)【要約】【課題】安価な構成で屋内の広い空間において精油を拡散させることができるとともに、設置スペースを十分に確保しながら、精油の漏出を低減させることができる壁面用シートを提供する。【解決手段】壁面用シート１は、壁面に貼着され、凹部２ａを有するとともに、精油の漏出を低減させる漏出低減シート２と、凹部２ａに設けられ、精油を含浸可能かつ拡散可能な不織布により形成される不織布シート３と、を備えてなる。不織布シート３の表面３ａは、漏出低減シート２の表面２ｂよりも内側に位置している。【選択図】図３
2017108967.tif 000002
【特許請求の範囲】
【請求項１】
壁面に貼着され、凹部を有するとともに、精油の漏出を低減させる漏出低減シートと、
前記凹部に設けられ、前記精油を含浸可能かつ拡散可能な不織布により形成される不織布シートと、を備えてなる壁面用シート。
【請求項２】
前記不織布シートの表面が前記漏出低減シートの表面よりも内側に位置してなる請求項１に記載の壁面用シート。
【請求項３】
壁面に貼着され、精油の漏出を低減させる第１漏出低減シートと、
前記第１漏出低減シートの表面に設けられ、凹部を有するとともに、前記精油を含浸可能かつ拡散可能な不織布により形成される不織布シートと、
前記凹部に設けられ、前記精油の漏出を低減させる第２漏出低減シートと、を備えてなる壁面用シート。
【請求項４】
前記不織布シートの表面が前記第２漏出低減シートの表面よりも内側に位置してなる請求項３に記載の壁面用シート。
【発明の詳細な説明】
【技術分野】
【０００１】
本発明は、壁面に貼着され、精油を含浸可能かつ拡散可能な壁面用シートに関する。
【背景技術】
【０００２】
従来、アロマテラピー（アロマセラピー）において、電気や火気による加熱装置を使用せずに精油（エッセンシャルオイル）を気化して周囲の空間に拡散させる精油拡散装置（アロマディフューザ）が知られている。このアロマディフューザとして、例えば、リードディフューザが知られている（特許文献１参照）。この種のリードディフューザは、例えば、液状の精油が収容された容器が卓上又は床上に設置され、リードと呼ばれる木製のスティックの基端部が容器に挿入されるものである。そして、そのリードの基端部から容器の外方に突出したリードの先端部に向けて液状の精油が毛細管現象によって吸い上げられ、リードの先端部から精油が気化して容器の周囲の空間に拡散されるというものである。
【先行技術文献】
【特許文献】
【０００３】
【特許文献１】特開２０１１−４８６７号公報
【発明の概要】
【発明が解決しようとする課題】
【０００４】
しかしながら、前記従来のリードディフューザでは、容器の周囲の狭い空間において精油が拡散されるため、屋内の広い空間において精油を拡散させることができないという問題があった。このため、屋内の広い空間において精油を拡散させるためには、複数のリードディフューザを設置する必要があり、もって、非常に不経済であるといった問題があった。
【０００５】
また、前記従来のリードディフューザでは、液状の精油が収容された容器が卓上又は床上に設置されるから、例えば、卓上又は床上に載置するべきものが多くある場合には、容器の設置スペースを確保することが極めて困難であるとともに、容器を卓上又は床上に設置した場合においても、容器を不意に転倒させてしまった場合には、容器に収容された液状の精油が漏出するといった問題があった。
【０００６】
本発明は、上述の事情に鑑みて、安価な構成で屋内の広い空間において精油を拡散させることができるとともに、設置スペースを十分に確保しながら、精油の漏出を低減させることができる壁面用シートを提供することを目的としている。
【課題を解決するための手段】
【０００７】
上記目的を達成するための手段を図面の参照符号を付して示せば、請求項１の発明に係る壁面用シート１は、壁面に貼着され、凹部２ａを有するとともに、精油の漏出を低減させる漏出低減シート２と、前記凹部２ａに設けられ、前記精油を含浸可能かつ拡散可能な不織布により形成される不織布シート３と、を備えてなることを特徴としている。
【０００８】
請求項２の発明に係る壁面用シート１は、上記請求項１の壁面用シート１において、前記不織布シート３の表面３ａが前記漏出低減シート２の表面２ｂよりも内側に位置してなることを特徴としている。
【０００９】
請求項３の発明に係る壁面用シート１１は、壁面に貼着され、精油の漏出を低減させる第１漏出低減シート１２と、前記第１漏出低減シート１２の表面１２ａに設けられ、凹部１３ａを有するとともに、前記精油を含浸可能かつ拡散可能な不織布により形成される不織布シート１３と、前記凹部１３ａに設けられ、前記精油の漏出を低減させる第２漏出低減シート１４と、を備えてなることを特徴としている。
【００１０】
請求項４の発明に係る壁面用シート１１は、上記請求項３の壁面用シート１１において、前記不織布シート１３の表面１３ｂが前記第２漏出低減シート１４の表面１４ａよりも内側に位置してなることを特徴としている。
【発明の効果】
【００１１】
以下に、本発明の効果について、図面の参照符号を付して説明する。請求項１の発明によれば、壁面用シート１は、壁面に貼着され、凹部２ａを有するとともに、精油の漏出を低減させる漏出低減シート２と、凹部２ａに設けられ、精油を含浸可能かつ拡散可能な不織布により形成される不織布シート３と、を備えてなるから、例えば、屋内の壁面に帯状のトリムボーダー等の壁面用シート１を貼着することにより、屋内の広い空間において精油を拡散させることができる。これにより、従来のように複数のリードディフューザを設置する必要がなくなるから、安価な構成で屋内の広い空間に精油を拡散させることができる。さらに、本発明によれば、壁面用シート１が壁面に貼着されるとともに、精油が不織布シート３に含浸されるから、従来のように液状の精油が収容された容器を卓上又は床上に設置することがなくなり、もって、設置スペースを十分に確保しながら、精油の漏出を低減させることができる。
【００１２】
また、本発明によれば、漏出低減シート２を設けることによって、精油が漏出低減シート２の裏面２ｃ側の壁面に漏出する事態を低減させることができるとともに、不織布シート３を漏出低減シート２の凹部２ａに設けることによって、精油が凹部２ａの側方、すなわち、壁面の下方に漏出する事態を低減させることができる。
【００１３】
請求項２の発明によれば、不織布シート３の表面３ａが漏出低減シート２の表面２ｂよりも内側に位置しているから、不織布シート３の全部が漏出低減シート２の凹部２ａの内部に設けられ、もって、精油が凹部２ａの側方（壁面用シート１を壁面に貼着した状態において下方）に漏出する事態をさらに低減させることができる。
【００１４】
請求項３の発明によれば、壁面用シート１１は、壁面に貼着され、精油の漏出を低減させる第１漏出低減シート１２と、第１漏出低減シート１２の表面１２ａに設けられ、凹部１３ａを有するとともに、精油を含浸可能かつ拡散可能な不織布により形成される不織布シート１３と、凹部１３ａに設けられ、精油の漏出を低減させる第２漏出低減シート１４と、を備えてなるから、例えば、屋内の壁面に帯状のトリムボーダー等の壁面用シート１１を貼着することにより、屋内の広い空間において精油を拡散させることができる。これにより、請求項１の発明と同様、従来のように複数のリードディフューザを設置する必要がなくなるから、安価な構成で屋内の広い空間において精油を拡散させることができる。さらに、本発明によれば、壁面用シート１１が壁面に貼着されるとともに、精油が不織布シート１３に含浸されるから、従来のように液状の精油が収容された容器を卓上又は床上に設置することがなくなり、もって、設置スペースを十分に確保しながら、精油の漏出を低減させることができる。
【００１５】
また、本発明によれば、第１漏出低減シート１２を設けることによって、精油が第１漏出低減シート１２の裏面１２ｂ側の壁面に漏出する事態を低減させることができ、さらに、壁面用シート１１の強度を高く維持することができる。そしてさらに、不織布シート１３に凹部１３ａを設けることによって、第２漏出低減シート１４を不織布シート１３に容易に装着することができる。
【００１６】
請求項４の発明によれば、不織布シート１３の表面１３ｂが第２漏出低減シート１４の表面１４ａよりも内側に位置しているから、不織布シート１３の側部が第２漏出低減シート１４の側部に対向するように設けられ、もって、精油が第２漏出低減シート１４の側方（壁面用シート１を壁面に貼着した状態において下方）に漏出する事態をさらに低減させることができる。
【図面の簡単な説明】
【００１７】
【図１】本発明の第１及び第２実施形態に係る壁面用シートを壁面に貼着した状態を例示する斜視図である。
【図２】本発明の第１及び第２実施形態に係る壁面用シートを拡大して例示する平面図である。
【図３】本発明の第１実施形態に係る壁面用シートを拡大して例示する縦断面図である。
【図４】本発明の第２実施形態に係る壁面用シートを拡大して例示する縦断面図である。
【発明を実施するための形態】
【００１８】
＜第１実施形態＞
以下に、本発明に係る壁面用シートの第１実施形態について、図１〜図３を参照して具体的に説明する。
【００１９】
図１に示すように、第１実施形態に係る壁面用シート１は、表面に装飾模様Ｐを有するとともに、屋内の壁面（図示せず）に貼着される帯状のトリムボーダーであって、壁面の上部（腰上）に貼着される腰上壁紙２１と、壁面の下部（腰下、腰壁）に貼着される腰下壁紙２２と、の間の壁面に貼着される帯状の装飾用壁紙である。壁面用シート１は、腰上壁紙２１の下端部（図示せず）と、腰下壁紙２２の上端部（図示せず）と、を覆うように壁面に貼着され、腰上壁紙２１と腰下壁紙２２との見切りとして機能するものである。すなわち、屋内の壁面に貼着される壁紙（クロス）は、腰上壁紙２１と、腰下壁紙２２と、壁面用シート１と、で構成される。
【００２０】
壁面用シート１は、屋内の壁面の全周にわたって貼着され、例えば、屋内の壁面の４面にわたって貼着される。なお、図１では、壁面用シート１が、屋内の壁面の２面にわたって貼着されている状態を示しているが、壁面用シート１は、図示しない屋内の壁面の２面にも貼着されている。すなわち、壁面用シート１は、屋内の壁面の４面にわたって貼着されている。
【００２１】
ところで、壁面用シート１の幅は、例えば、５ｃｍ〜２０ｃｍとなる幅狭のものであり、生のり等の壁紙接着用糊を壁面用シート１の裏面（図３に示す漏出低減シート２の裏面２ｃ）に塗布することによって、壁面用シート１は、屋内の壁面に接着される。なお、本実施形態においては、壁面用シート１を、腰上壁紙２１と腰下壁紙２２との見切りとして機能するものであると例示したが、それに限らず、例えば、装飾模様がない壁紙のアクセントとなるように装飾として機能するものであってもよい。例えば、天井面と接する壁面や、窓枠、ドア枠、家具等の周囲の壁面や、腰高（例えば、床面を基準として７０ｃｍ〜１２０ｃｍとなる高さ）となる壁面に貼着されても良い。また、壁面用シート１の幅は、幅狭のものに限定されるものではなく、屋内の壁面の全部又は大部分に貼着可能な幅広のものであってもよい。
【００２２】
かくして、上記のように構成される壁面用シート１を図２を参照してより詳しく説明すると、壁面用シート１は、壁面に貼着され精油の漏出を低減させる漏出低減シート２と、平面視で装飾模様Ｐとなるように漏出低減シート２に設けられ、精油を含浸可能かつ拡散可能な不織布により形成される不織布シート３と、を備えてなる。漏出低減シート２は、精油の漏出を低減させるもの、すなわち、液状の精油を含浸不能なものであって、例えば、ポリ塩化ビニル（ＰＶＣ）等の耐水性、耐油性、難燃性に優れた樹脂シートである。不織布シート３は、液状の精油を含浸できるとともに、精油が気化して拡散できる不織布であって、例えば、ポリアミド繊維、ポリエステル繊維、ポリオレフィン繊維（ポリプロピレン繊維、ポリエチレン繊維）、ビニロン繊維、レーヨン繊維などの化学繊維、ガラス繊維等の１種又は２種以上により形成されるスパンボンド不織布である。
【００２３】
なお、漏出低減シート２は、樹脂シートに限定されるものではなく、液状の精油を弾く程度の耐水性、耐油性を有していればよく、例えば、フッ素コーティング等の撥水処理、撥油処理を施した織布や編物であってもよい。ただし、漏出低減シート２は、完全な耐水性、耐油性を有している必要はなく、液状の精油を僅かに含浸可能なものであってもよい。漏出低減シート２は、例えば、不織布シート３を形成する不織布よりも、精油含浸量が大幅に少ないものを使用することができる。また、不織布シート３は、スパンボンド不織布に限定されるものではなく、綿繊維等の天然繊維により形成されるスパンレース不織布や、麻繊維、絹繊維、紙（パルプ）、羊毛（フエルト）等の天然繊維により形成される不織布であってもよい。
【００２４】
精油は、アロマテラピーにおいて使用される揮発性の油（アロマオイル）であって、例えば、アカマツ、イランイラン、オレンジ、カモミール、クスノキ、クラリセージ、グロブラス、グレープフルーツ、コウヤマキ、サイプレス、サワラ、サンダルウッド、シダーウッド、シトロネラ、シナモン、ジャスミン、ジュニパー、ジンジャー、スギ、ゼラニウム、タイム、ダクラスファー、タケ、ティートリー、トドマツ、ニアウリ、ニオイヒバ、ネズコ、ネロリ、ハイマツ、パイン、バジル、パチュリー、バラ、パルマローザ、ヒノキ、ヒバ、フェンネル、プチグレン、ブラックペッパー、フランキンセンス、ベイスギ、ベチバー、ペパーミント、ベルガモット、ベンゾイン、マージョラム、マートル、マンダリン、ミルラ、メリッサ、モミ、ユーカリ、ユズ、ライム、ラベンサラ、ラベンダー、リツェアクベバ、リンデン、レモン、レモングラス、レモンバーム、レモンバーベナ、ローズアブソリュート、ローズウッド、ローズオットー、ローズマリー等の植物の花、茎、幹、根、樹脂、果皮等を水蒸気蒸留又は圧搾して得られるものである。そして、このような精油は、無水エタノール等の希釈剤で希釈され、不織布シート３に含浸されるとともに、不織布シート３から気化して馥郁たる芳香を壁面用シート１の周囲の空間に拡散する。
【００２５】
装飾模様Ｐは、図２に示すように、壁面用シート１の延出方向（図２の左右方向）に向かって連なる連続模様（図示では、花柄模様）である。なお、装飾模様Ｐは、花柄模様に限定されるものではなく、草木模様、縞模様（ストライプ模様）、幾何学模様等の任意の連続模様であってもよい。また、装飾模様Ｐは、連続模様に限定されるものではなく、文字、キャラクタ等を離散配置した離散模様であってもよい。なお、本実施形態においては、装飾模様Ｐがある部分の全部が、不織布シート３に設けられ、装飾模様Ｐがない部分の全部が、漏出低減シート２に設けられている。
【００２６】
本実施形態によれば、不織布シート３が平面視で装飾模様Ｐとなるように凹部２ａに設けられるから、不織布シート３に精油が含浸されると、不織布シート３が濡れて不織布シート３の装飾模様Ｐが濃色に変色する一方、不織布シート３から精油が拡散されると、不織布シート３が乾いて不織布シート３の装飾模様Ｐが淡色に変色する。これにより、不織布シート３の装飾模様Ｐの濃淡の相違によって、不織布シート３の精油の含浸状態を容易に視認することができる。
【００２７】
なお、本実施形態の壁面用シート１は、表面に装飾模様Ｐを有するものを例示したが、これに限らず、例えば、不織布シート３が無地となるように、表面に装飾模様Ｐを有さないものであってもよい。
【００２８】
漏出低減シート２は、図３に示すように、平面視で装飾模様Ｐとなるように形成される凹部２ａを有する。漏出低減シート２の裏面２ｃは、屋内の壁面に接着される。不織布シート３は、図３に示すように、平面視で装飾模様Ｐとなるように漏出低減シート２の凹部２ａに設けられる。不織布シート３は、図２に示すように、平面視で装飾模様Ｐとなるように形成されたレース状のシートであって、図３に示すように、漏出低減シート２の凹部２ａに接着される。なお、不織布シート３は、漏出低減シート２の凹部２ａに接着されるものに限定されず、例えば、漏出低減シート２の凹部２ａに熱圧着したり、漏出低減シート２が編物である場合には、不織布シート３を漏出低減シート２の凹部２ａに漏出低減シート２とともに編み込むようにしてもよい。
【００２９】
不織布シート３の表面３ａは、図３に示すように、漏出低減シート２の表面２ｂよりも内側に位置してなる。これにより、不織布シート３の全部が漏出低減シート２の凹部２ａの内部に設けられることとなるから、精油が凹部２ａの側方（壁面用シート１を壁面に貼着した状態において下方）に漏出する事態をさらに低減させることができる。
【００３０】
次に、本実施形態の壁面用シート１の使用方法について説明する。
【００３１】
まず、図１に示すように、壁面用シート１を屋内の壁面に貼着する。次いで、図２に示すように、使用者が好む精油を、壁面用シート１の不織布シート３（壁面用シート１の装飾模様Ｐがある部分の全部）に適量滴下する。これにより、精油は、図３に示すように、不織布シート３に含浸されるとともに、毛細管現象によって不織布シート３の表面３ａに吸い上げられ、不織布シート３の表面３ａから気化して、馥郁たる芳香が壁面用シート１の周囲の空間に拡散され、もって、屋内の広い空間において精油が拡散されることとなる。
【００３２】
しかして、本実施形態によれば、壁面用シート１は、壁面に貼着され、凹部２ａを有するとともに、精油の漏出を低減させる漏出低減シート２と、凹部２ａに設けられ、精油を含浸可能かつ拡散可能な不織布により形成される不織布シート３と、を備えてなるから、屋内の壁面に壁面用シート１として帯状のトリムボーダーを設けることにより、屋内の広い空間において精油を拡散させることができる。これにより、従来のように複数のリードディフューザを設置する必要がなくなるから、安価な構成で屋内の広い空間に精油を拡散させることができる。さらに、本実施形態によれば、壁面用シート１が壁面に貼着されるとともに、精油が不織布シート３に含浸されるから、従来のように液状の精油が収容された容器を卓上又は床上に設置することがなくなり、もって、設置スペースを十分に確保しながら、精油の漏出を低減させることができる。
【００３３】
また、本実施形態によれば、漏出低減シート２を設けることによって、精油が漏出低減シート２の裏面２ｃ側の壁面に漏出される事態を低減させることができる。そしてさらに、不織布シート３を漏出低減シート２の凹部２ａに設けることによって、精油が凹部２ａの側方、すなわち、壁面の下方に漏出される事態を低減させることができる。
【００３４】
＜第２実施形態＞
次に、本発明に係る壁面用シートの第２実施形態を、図１、図２及び図４を参照して具体的に説明する。なお、第１実施形態と同一の構成については、同一の符号を付し、説明は省略する。
【００３５】
第２実施形態に係る壁面用シート１１は、図４に示すように、壁面に貼着され、精油の漏出を低減させる第１漏出低減シート１２と、第１漏出低減シート１２に設けられ、精油を含浸可能かつ拡散可能な不織布により形成される不織布シート１３と、平面視で装飾模様Ｐとなるように不織布シート１３に設けられ、精油の漏出を低減させる第２漏出低減シート１４と、を備えてなる。第１漏出低減シート１２及び第２漏出低減シート１４は、精油の漏出を低減させるもの、すなわち、液状の精油を含浸不能なものであって、例えば、第１実施形態の漏出低減シート２と同一の樹脂シートである。不織布シート１３は、液状の精油を含浸できるとともに、精油が気化して拡散できる不織布であって、例えば、第１実施形態の不織布シート３と同一のスパンボンド不織布である。また、壁面用シート１１の装飾模様Ｐは、図１及び図２に示すように、第１実施形態の壁面用シート１の装飾模様Ｐと同一のものである。なお、本実施形態においては、装飾模様Ｐがある部分の全部が、第２漏出低減シート１４に設けられ、装飾模様Ｐがない部分の全部が、不織布シート１３に設けられている。
【００３６】
なお、本実施形態の第１漏出低減シート１２及び第２漏出低減シート１４は、樹脂シートに限定されるものではなく、第１実施形態の漏出低減シート２と同様、液状の精油を弾く程度の耐水性、耐油性を有していればよく、例えば、フッ素コーティング等の撥水処理、撥油処理を施した織布や編物であってもよい。ただし、第１漏出低減シート１２及び第２漏出低減シート１４は、完全な耐水性、耐油性を有している必要はなく、液状の精油を僅かに含浸可能なものであってもよい。第１漏出低減シート１２及び第２漏出低減シート１４は、例えば、不織布シート１３を形成する不織布よりも、精油含浸量が大幅に少ないものを使用することができる。また、本実施形態の不織布シート１３は、スパンボンド不織布に限定されるものではなく、第１実施形態の不織布シート３と同様、スパンレース不織布や、他の不織布であってもよい。また、本実施形態の壁面用シート１１は、表面に装飾模様Ｐを有するものを例示したが、これに限らず、例えば、第２漏出低減シート１４が無地となるように、表面に装飾模様Ｐを有さないものであってもよい。
【００３７】
不織布シート１３は、図４に示すように、第１漏出低減シート１２の表面１２ａに接着される。第１漏出低減シート１２の裏面１２ｂは、屋内の壁面に接着される。不織布シート１３は、図４に示すように、平面視で装飾模様Ｐとなるように形成される凹部１３ａを有する。第２漏出低減シート１４は、図４に示すように、平面視で装飾模様Ｐとなるように不織布シート１３の凹部１３ａに設けられる。第２漏出低減シート１４は、図２に示すように、平面視で装飾模様Ｐとなるように形成されたレース状のシートであって、図４に示すように、不織布シート１３の凹部１３ａに接着される。
【００３８】
不織布シート１３の表面１３ｂは、図４に示すように、第２漏出低減シート１４の表面１４ａよりも内側に位置してなる。これにより、不織布シート１３の側部が第２漏出低減シート１４の側部に対向するように設けられることになるから、精油が第２漏出低減シート１４の側方（壁面用シート１を壁面に貼着した状態において下方）に漏出する事態をさらに低減させることができる。また、本実施形態によれば、第２漏出低減シート１４の表面１４ａが不織布シート１３の表面１３ｂよりも外側に位置してなるから、第２漏出低減シート１４の表面１４ａが外側に突出したエンボス形状となり、もって、高級感のある装飾模様Ｐを有する壁面用シート１１を提供することができる。
【００３９】
次に、本実施形態の壁面用シート１１の使用方法について説明する。
【００４０】
まず、図１に示すように、壁面用シート１１を屋内の壁面に貼着する。次いで、図２に示すように、使用者が好む精油を、壁面用シート１１の不織布シート１３（壁面用シート１１の装飾模様Ｐがない部分の全部）に適量滴下する。これにより、精油は、図４に示すように、不織布シート１３に含浸されるとともに、毛細管現象によって不織布シート１３の表面１３ｂに吸い上げられ、不織布シート１３の表面１３ｂから気化して、馥郁たる芳香が壁面用シート１１の周囲の空間に拡散され、もって、屋内の広い空間において精油が拡散されることとなる。
【００４１】
しかして、本実施形態によれば、壁面用シート１１は、壁面に貼着され、精油の漏出を低減させる第１漏出低減シート１２と、第１漏出低減シート１２の表面１２ａに設けられ、凹部１３ａを有するとともに、精油を含浸可能かつ拡散可能な不織布により形成される不織布シート１３と、凹部１３ａに設けられ、精油の漏出を低減させる第２漏出低減シート１４と、を備えてなるから、屋内の壁面に壁面用シート１１として帯状のトリムボーダーを設けることにより、屋内の広い空間において精油を拡散させることができる。これにより、第１実施形態と同様、従来のように複数のリードディフューザを設置する必要がなくなるから、安価な構成で屋内の広い空間に精油を拡散させることができる。さらに、本実施形態によれば、壁面用シート１１が壁面に貼着されるとともに、精油が不織布シート１３に含浸されるから、従来のように液状の精油が収容された容器を卓上又は床上に設置することがなくなり、もって、設置スペースを十分に確保しながら、精油の漏出を低減させることができる。
【００４２】
また、本実施形態によれば、第１漏出低減シート１２を設けることによって、精油が第１漏出低減シート１２の裏面１２ｂ側の壁面に漏出する事態を低減させることができ、さらに、壁面用シート１１の強度を高く維持することができる。そしてさらに、不織布シート１３に凹部１３ａを設けることによって、第２漏出低減シート１４を不織布シート１３に容易に装着することができる。
【符号の説明】
【００４３】
１，１１  壁面用シート
２        漏出低減シート
２ａ      凹部
２ｂ      表面
２ｃ      裏面
３        不織布シート
３ａ      表面
１２      第１漏出低減シート
１２ａ    表面
１２ｂ    裏面
１３      不織布シート
１３ａ    凹部
１３ｂ    表面
１４      第２漏出低減シート
１４ａ    表面
２１      腰上壁紙
２２      腰下壁紙
Ｐ        装飾模様
【図１】
2017108967.tif 000003
【図２】
2017108967.tif 000004
【図３】
2017108967.tif 000005
【図４】
2017108967.tif 000006